【事件の表示】
　特許第２７６０６１４号「光学ユニット駆動装置」の特許に対する特許異議の申立てについて、次のとおり決定する。
【結論】
　訂正を認める。
　特許第２７６０６１４号の特許を維持する。
【理由】
Ｉ．手続きの経緯
　本件特許第２７６０６４１号に係る出願は、平成１年１２月８日の出願であって、平成１０年３月２０日に特許の設定がなされ、その後、有限会社オフィスアテナより異議申立がなされ、取消理由が通知され、その指定期間内である平成１１年４月２６日に訂正請求がなされ、訂正拒絶理由が通知され、その指定期間内である平成１１年９月７日に意見書及び訂正請求の補正書が提出されたものである。
ＩＩ．訂正請求の補正の適否
　平成１１年９月７日付け訂正請求の補正は、訂正請求の要旨を変更するものではなく、特許法第１３１条第２項の規定に適合するので、前記訂正請求の補正を認める。
ＩＩＩ．訂正の要旨
　訂正事項ａ：特許請求の範囲の請求項１の記載を、特許請求の範囲の減縮を目的として、次のように訂正する。
　「内側に設けられたギヤ部に駆動力が供給されることにより回転し、光学ユニットを移動させる鏡筒と、前記鏡筒の前記ギヤ部に駆動力を供給する、該鏡筒の
半径方向
前記鏡筒は光軸方向に移動
　訂正事項ｂ：明細書第５頁４行〜第５頁１８行中の「鏡筒の外側に出る駆動力伝達ギアとを有する。」という記載を、明瞭でない記載の釈明を目的として、「該鏡筒の半径方向外側に出る駆動力伝達ギアとを有し、前記鏡筒は光軸方向に移動する。」と訂正する。
　訂正事項ｃ：明細書第３頁２行の「ビン」という記載を、誤記の訂正を目的として、「ピン」と訂正する。
　訂正事項ｄ：明細書第３頁２行の「擢動」という記載を、誤記の訂正を目的として、「摺動」と訂正する。
　訂正事項ｅ：明細書第４頁２０行〜第５頁２行中の「小型の」という記載を、誤記の訂正を目的として、「小型化の」と訂正する。
　訂正事項ｆ：明細書第１０頁９行の「２θ」という記載を、誤記の訂正を目的として、「２が」と訂正する。　訂正事項ｇ：明細書第２２頁９行の「位置（」という記載を、誤記の訂正を目的として、「位置、」と訂正する。
　訂正事項ｈ：図面第１図中のギヤの符号「４３」を、誤記の訂正を目的として、「４８」と訂正する。
ＩＶ．訂正の適否
　Ａ．訂正の目的の適否、新規事項の有無、拡張・変更の存否
　訂正事項ａに係る訂正は、特許請求の範囲の減縮に該当し、願書に添付された明細書の記載の範囲内のものであり、実質的に特許請求の範囲を拡張又は変更するものではない。
　訂正事項ｂに係る訂正は、明瞭でない記載の釈明に該当し、願書に添付された明細書の記載の範囲内のものであり、実質的に特許請求の範囲を拡張又は変更するものではない。
　訂正事項ｃ〜ｈに係る訂正は、誤記の訂正に該当し、願書に添付された明細書の記載の範囲内のものであり、実質的に特許請求の範囲を拡張又は変更するものではない。
　Ｂ．独立特許要件について
　（１）訂正後発明
　平成１１年９月７日付け訂正請求の補正により補正された訂正明細書の請求項１に係る発明は、訂正明細書及び図面の記載からみて、その特許請求の範囲の請求項１に記載された次のとおりのものである。
　「内側に設けられたギヤ部に駆動力が供給されることにより回転し、光学ユニットを移動させる鏡筒と、前記鏡筒の前記ギヤ部に駆動力を供給する、該鏡筒の
半径方向
前記鏡筒は光軸方向に移動
　（２）引用刊行物
　これに対して、訂正拒絶理由に引用した特開昭５８−８２２３５号公報（以下、「引用例１」という。）には、例えば、次のような記載がある。
　▲１▼「各交換レンズ２０，２１は、カメラボデイ１に対し着脱自在に装着するためのマウント２２がそれぞれの固定筒２３と一体に設けられていると共に、このマウント２２の外周り位置に、レンズ２０，２１のカメラボデイ１への着脱に伴って前記駆動歯車１０と噛み合いまたその噛み合いが外れる従動歯車２４を持った従動軸２５が設けられている。」公報第３頁右下欄。
　▲２▼「また、２７はレンズを保持する内筒であって、手動合焦操作リング２８と一体であるヘリコイド筒２９のヘリコイド雌ネジ２９ａに、ヘリコイド雄ネジ２７ａが螺合している。ヘリコイド筒２９のへリコイド雄ネジ２９ｂには、前記固定筒２３のへリコイド雌ネジ２３ａが螺合している。さらに、内筒２７の外周一部には光軸方向のキー溝３０が形成され、固定筒２３内周一部に固設されたキー３１と係合し、内筒２７を光軸方向に直進移動すべくしている。これにより、ヘリコイド筒２９が手動操作リング２８によって回転させられるか、従動軸２５からの伝動によって回転させられると、その回転方向に応じて内筒２７が光軸２６方向に前進あるいは後退され焦点調節動作となる。」同第４頁左上欄〜第４頁右上欄。
　▲３▼「ところが、第１図示交換レンズ２０は、内筒２７に口径の大きい撮影レンズ３２を保持しているから、ヘリコイド筒２９も内筒２７と共に径寸法が大きくなり、ヘリコイド筒２９の後端部に形成した内歯歯車３３に、従動軸２５上の伝動歯車３４を噛み合わせて、従動軸２５から伝動がなされるようにして、レンズ鏡筒内スペースを有効利用する」同第４頁右上欄。
　前記▲１▼〜▲３▼の記載事項と図面の記載からみて、引用例１には、内側に設けられた内歯歯車に駆動力が供給されることにより回転し、レンズを保持した内筒を移動させるヘリコイド筒と、前記へリコイド筒の内歯歯車に駆動力を供給する駆動歯車を有するレンズ駆動装置が記載されている。
　同じく、訂正拒絶理由に引用された特開平１−９７９２８号公報（以下、「引用例２」という。）には、例えば、次のような記載がある。
　▲４▼「第１図はフォーカスレンズの位置制御装置を示す。フォーカスレンズ１は、その光軸方向Ｐに摺動可能に支持され、接手部１Ａに固定する送り棒２の往復動によって光軸方向Ｐの位置が調節される。送り棒２は歯車ねじ部２ａを有し、このねじ部２ａは直流モータ４より駆動される減速歯車３の中心めねじにねじ結合され、したがってモータ４の回転量がフォーカスレンズ１の移動量に比例する。」公報第２頁左下欄。
　▲５▼「減速歯車３には、中継歯車３Ａ及び内周歯車８Ａに噛合された最終歯車３Ｂを介してバリア開閉リング８が結合される。このバリア開閉リング８は、その回転によってカメラの前面露光窓を開閉するバリア部材９を駆動し、フォーカスレンズ１がカメラ前面に移動するのに連動してバリア部材を開閉する。」同第２頁右下欄。
　（３）対比
　本件訂正後発明と引用例１記載の発明を対比する。
　引用例１記載の発明における、「内歯歯車」、「レンズを保持した内筒」、「ヘリコイド筒」及び「駆動歯車」は、本件訂正後発明における、「ギヤ部」、「光学ユニット」、「鏡筒」及び「駆動力伝達ギア］にそれぞれ対応するものであるから、本件訂正後発明と引用例１記載の発明は、「内側に設けられたギア部に駆動力が供給されることにより回転し、光学ユニットを移動させる鏡筒と、前記鏡筒の前記ギア部に駆動力を供給する駆動力伝達ギアとを有する光学ユニット駆動装置。」という点で両者の構成は一致し、次の相違点で両者の構成は相違する。
　相違点：本件訂正後発明においては、駆動力伝達ギアが鏡筒の半径方向外側に出る構成とし、該鏡筒が光軸方向に移動するのに対して、引用例１記載の発明においては、駆動力伝達ギアが鏡筒の半径方向外側に出ない構成とし、該鏡筒が光軸方向に移動しない点。
　（４）判断
　上記相違点について検討する。
　引用例２には、自動焦点カメラ等の光学装置において、フォーカスレンズ（訂正後発明における光学ユニットに相当）を移動し、バリア部材を開閉するための駆動モータの駆動歯車を、フォーカスレンズ及びバリア開閉リングの半径方向外側に配置する歯車伝達機構の構成が記載されている。
　しかし、引用例２記載の発明においても、直接廻転駆動力が伝達される鏡筒自体が光軸方向に移動可能なものではない。本件訂正後発明は、前記相違点にあげた構成を有することにより、明細書記載の効果を奏するものであるから、本件訂正後発明は、引用例１及び２記載の発明に基づいて当業者が容易に発明をすることができたものとは認められないから、特許出願の際、独立して特許を受けることができるものである。
　Ｃ．訂正の適否のまとめ
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する特許法第１２６条第２項〜４項の規定に適合すので、当該訂正請求を認める。
Ｖ．異議申立について
　（１）異議申立の理由の概要
　異議申立人は、証拠方法として甲第１〜３号証を提出し、本件特許の請求項１に係る発明の特許は、特許法第２９条第２項の規定に違反してなされたものであり、取り消されるべきものであると主張している。
　（２）異議申立の理由についての判断
　しかしながら、前記異議申立の理由と同様の理由を指摘した当審が通知した取消理由に対して提出され、その後、当審が通知した訂正拒絶理由により補正された訂正請求により、前記訂正の適否の「独立特許要件についての判断」において示したとおり、異議申立において主張する取消理由は解消されている。
　（３）むすび
　以上のとおりであるから、異議申立人の主張する理由及び提出した証拠方法によっては、本件特許の請求項１に係る発明の特許を取り消すことはできない。
　また、他に本件特許の請求項１に係る発明の特許を取り消すべき理由を発見しない。
　よって、結論のとおり決定する。
【異議決定日】
平成１１年９月２７日（１９９９．９．２７）
【訂正の要旨】
ＩＩＩ．訂正の要旨
　訂正事項ａ：特許請求の範囲の請求項１の記載を、特許請求の範囲の減縮を目的として、次のように訂正する。
　「内側に設けられたギヤ部に駆動力が供給されることにより回転し、光学ユニットを移動させる鏡筒と、前記鏡筒の前記ギヤ部に駆動力を供給する、該鏡筒の
半径方向
前記鏡筒は光軸方向に移動
　訂正事項ｂ：明細書第５頁４行〜第５頁１８行中の「鏡筒の外側に出る駆動力伝達ギアとを有する。」という記載を、明瞭でない記載の釈明を目的として、「該鏡筒の半径方向外側に出る駆動力伝達ギアとを有し、前記鏡筒は光軸方向に移動する。」　と訂正する。
　訂正事項ｃ：明細書第３頁２行の「ビン」という記載を、誤記の訂正を目的として、「ピン」と訂正する。
　訂正事項ｄ：明細書第３頁２行の「擢動」という記載を、誤記の訂正を目的として、「摺動」と訂正する。
　訂正事項ｅ：明細書第４頁２０行〜第５頁２行中の「小型の」という記載を、誤記の訂正を目的として、「小型化の」と訂正する。
　訂正事項ｆ：明細書第１０頁９行の「２θ」という記載を、誤記の訂正を目的として、「２が」と訂正する。
　訂正事項ｇ：明細書第２２頁９行の「位置（」という記載を、誤記の訂正を目的として、「位置、」と訂正する。
　訂正事項ｈ：図面第１図中のギヤの符号「４３」を、誤記の訂正を目的として、「４８」と訂正する。
（５４）【発明の名称】
光学ユニット駆動装置
（５７）【特許請求の範囲】
１　内側に設けられたギヤ部に駆動力が供給されることにより回転し、光学ユニットを移動させる鏡筒と、前記鏡筒の前記ギヤ部に駆動力を供給する、該鏡筒の半径方向外側に出る駆動力伝達ギヤとを有し
、前記鏡筒は光軸方向に移動
【発明の詳細な説明】
［産業上の利用分野］
　本発明は、ズームレンズ等の光学ユニットを駆動する装置の改良に関するものである。
　［従来の技術］
　最近、ズームレンズ機構を搭載したレンズ非交換型のコンパクトカメラが市販されている。
　従来のこの種のカメラにおけるズームレンズ機構としてたとえば第１０図に示すようなものが知られている。第１０図に示した機構では、前後群の撮影光学系を連続して変化する焦点距離に位置決めするため、一本のカム筒２０１と直進カム２０２によりその位置を規制し、前記カムリング２０１の外周後部にギヤ２０１ａを形成し、該ギヤ２０１ａを動力源からの駆動力を伝えるギヤ２０３で駆動しズーミングを行うという構成をとっていた。
　第１０図に示した構成においては、前記カムリング２０１及び直進カム２０２を含む鏡筒全体を沈胴させるため、前記直進カム２０２に植設されたピン２０４’と摺動自在に係合する沈胴用カムリング２０５及び沈胴用直進カム２０４により鏡筒の沈胴を行うという動作が可能になる。
［発明が解決しようとする課題］
　第１０図に示した従来のズーミング動作機構には次のような問題があった。
（ｉ）前記カムリング２０１に設けられた外周ギヤ部２０１ａが鏡筒の沈胴時に前記沈胴用の直進カム２０４の内周部に干渉しないようにするためには該カム２０４及びカムリング２０５の径を大きくする必要があるが、カム２０４及びカムリング２０５を大きくするとカメラが大きくなってしまう。
（ｉｉ）鏡筒が沈胴しても前記ギヤ２０３とギヤ部２０１ａの係合が保たれるようにするためにはカムリング２０１のギヤ部２０１ａを２０１ｂに示すように延長することが必要であるが、延長したギヤ部２０１ｂを設けると、該ギヤ部が沈胴位置からくりだした状態でもカメラの外部に露呈しないようにカメラの外装カバーで該ギヤ部２０ｌｂを覆うことが必要となり、その結果鏡筒部のカバー外径が大きくなってしまう。
（ｉｉｉ）上記（ｉｉ）の場合と同じく、鏡筒が沈胴位置からくり出した状態において前記カムリング２０７が外部に露出してしまうことは、回転するカム溝を有するカムリング２０１が外部から見えて美観を損ねてしまうばかりでなく、カム溝からの光線もれが生じるという危険性を招くことになる。この危険性を防止するためには外装部２０６をカムリング２０１及び直進カム２０２が沈胴からくり出した位置で覆いかくせるように設けることが必要となるがそのような設計をした場合、鏡筒ユニットは沈胴してもカメラ自体の厚みは従来品よりも厚くなってしまうという矛盾が生じてしまう。
　本発明は、以上の事情に鑑み為されたもので、小型化の図れる光学ユニット駆動装置を提供しようとするものである。
［課題を解決するための手段］
　上記目的を達成するために、本発明の光学ユニット駆動装置は、内側に設けられたギヤ部に駆動力が供給されることにより回転し、光学ユニットを移動させる鏡筒と、前記鏡筒の前記ギヤ部に駆動力を供給する、該鏡筒の半径方向外側に出る駆動力伝達ギヤとを有し
、前記鏡筒は光軸方向に移動
　［実施例］
　以下に添付図面の第１図乃至第９図を参照しつつ本発明のズーミング機構を有したズームカメラについて説明する。
　第１図は本発明のズーミング機構を有したズームカメラの要部分解斜視図である。第１図において、１は先端部１ａに不図示の第一群レンズを保持している一群鏡筒、２は該鏡筒１の内周面に回転可能に嵌合している二群カムリング、３は不図示の第二群レンズを保持するとともに公知のシャッターユニットを保持しているシャッター地板、４は第三群レンズを保持している三群ホルダー、５は前記第一群レンズ及び一群鏡筒１の撮影光軸方向の位置を規定するための一群カムリング、６は前記一群カムリング５の外周面に相対回転可能に嵌合するとともに前記一群鏡筒１を撮影光軸方向にのみ直進移動させるための軸方向溝６ａが内周面に形成されている直進ガイド、である。
　一群カムリング５の後端部５ａの内周面には不図示の内歯ギアが取付けられており、該内歯ギアには図示のギア７が噛み合い、さらに該ギア７には、図示しない公知の駆動源からの動力を受けるギア８が噛み合っている。一群カムリング５は前述の直進ガイド６の内周面に回動自在に保持されているが、該リング５の外周面に突設されたピン９が前記直進ガイド６の周方向溝６ｂに挿入されているため一群カムリング５は光軸方向に動くことはできない。
　一方、一群鏡筒１の外周面にもピン１０が突設されており、このピン１０は前記カムリング５のカム軸５ｂ内に相対摺動可能に挿入されるとともに前記直進ガイド６の軸方向溝６ａにも相対摺動可能に挿入されており、従って一群鏡筒１はカム溝５ｂによって光軸方向の位置を制御されるようになっている。
　不図示の駆動源からの動力を前記ギア８が受けて回転を始めるとギア７が回転し、この回転力がカムリング５の内歯ギアに伝達されてカムリング５が回転を始める。一群鏡筒１に植設されたピン１０はカム溝５ｂおよび軸方向溝６ａ内で相対摺動可能となっているのでカムリング５が回転するとカム溝５ｂの光軸方向の変位量分だけ一群鏡筒１が光軸方向に駆動され、その結果、第一群レンズのズーミング移動が行われる。
　次に第二群レンズのズーミング機構及び動作について説明する。二群カムリング２は一群鏡筒１の内周面に回動自在に保持され、その後端部２ａに植設されたピン１１は一群鏡筒１の周方向溝１ｂ内に相対摺動自在に挿入されるとともに、カムリング５の光軸方向の溝５ｃ内にも相対摺動自在に挿入されている。
　従ってカムリング５が回転を始めると、一群鏡筒１が光軸に沿って移動するが、二群カムリング２はその光軸方向の動きを植設ピン１１により一群鏡筒１の周方向溝１ｂによって禁止されているため該カムリング２は該一群鏡筒１と一体となって光軸方向へ移動する。さらに前記植設ピン１１はカムリング５の溝５ｃによりその回転方向の動きがカムリングに対して禁止されているのでカムリング５が回転すると二群カムリング２は一群鏡筒１と一体で光軸方向へ移動すると同時にカムリング５と同一角度の回転を行う。
　一群鏡筒１は、その内部に光軸と平行に固着された２本のガイドバー１２及び１３を有している。一方のガイドバー１２はシャッター地板３の孔３ａに摺動可能に挿入されており、ガイドバー１２に嵌装された圧縮バネ１４がシャッター地板３を光軸と平行に後方へ（第１図で右向き）に付勢している。他方のガイドバー１３はシャッター地板３の外周縁の切り欠き溝３ｂに嵌合されており、これにより該地板３に光軸を中心とする回動が生じないようになっている。従って、該地板３は光軸と平行な動きのみが可能である。
　該シャッター地板３は、シャッター羽根３２及び３３、羽根押え３４、等の部品とともに公知のシャッターユニット３１を構成しており、該シャッター地板３には後述の三群レンズ駆動用のステッピングモータ１９０とシャッター羽根駆動用のモータＳＭとが取付けられている。
　該シャッター地板３にはまた、植設ピン３ｃが固設され、該ピン３ｃは前述の二群カムリング２のカム面２ｂに係合している。
　該シャッター地板３は前記圧縮バネ１４により光軸方向に沿って後向きに付勢されているため該ピン３ｃは二群カムリング２のカム面２ｂに該バネ１４の力で圧接されている。従って前記カムリング５が回転されると前述のように二群カムリング２が回転され、第二群レンズを保持したシャッター地板３が該カム面２ｂによって光軸方向に動かされることにより第二群レンズのズーミング動作が起こる。なお、上述のように、シャッター地板３は光軸前方向に圧縮バネ１４の力に抗して移動することが可能であるから、沈胴に際しては、シャッター地板３を光軸と平行に前方へ移動させることによって第一群レンズと第二レンズの間隔を挟めることが出来るようになっている。
　次に第三群レンズの移動機構と動作とについて説明する。
　第三群レンズを保持している三群ホルダー４には光軸対称位置に三群ガイドバー１５，１６が光軸と平行を成すように固着されている。
　一方のガイドバー１５にはその外周部に圧縮バネ１７が嵌装されるとともにシャッター地板３の孔３ｃ’に摺動自在に嵌合されている。該バネ１７は三群ホルダー４を光軸方向後向きに付勢しており、後述のへリコイド軸１８とメスヘリコイド筒との螺合部分におけるバックラッシュや減速ギア列のバックラッシュを少なくさせる役目を果たしている。他方のガイドバー１６は前記地板の切り欠き溝３ｄに係合しており、該ホルダー４が光軸を中心とする回転を起こさぬようになっている。さらに前記ホルダー４にはガイドバー１５及び１６と平行に配置されたヘリコイド軸１８が突設されており、該ヘリコイド軸１８はギア１９と一体のメスへリコイド筒に螺合しているので該ギア１９を回転させることによって前記三群ホルダー４を光軸方向に移動させることができる。
　１９０は周方向に４極に分極された、永久磁石ロータ２０を有する公知のステッピングモーターであり、第２図には該モーターの正面図が示されている。ヨーク２１及び２３はボビン２５と共に一つの磁路を形成し、また、ヨーク２２及び２４はボビン２６と共にもう一つの磁路を形成している。
　２７は前記永久磁石ロータ２０に固設された中心軸２８の上端部を回転可能に位置決めするための嵌合穴２７ａを有したマグネットカバーである。前記中心軸２８の他端２８ａはシャッター地板３に設けられた貫通穴３ｅに回転自在に保持され、前述のマグネットカバー２７との間で支持されている。さらに軸端２８ａはシャッター地板３の裏側に突出し、その出力を伝達するためのピニオン２９がその先端部に固着されている。
　以上のような構成のステッピングモーターにおいては、前述のボビン２５及び２６に巻かれたコイルに通電を行うことによって前記ヨーク２１〜２４を励磁し、適宜該通電の位相を切り換えることで永久磁石ロータ２０が回転し、その出力がピニオン２９に伝達される。ピニオン２０が回転を始めると順次減速ギア列３０が回転し、メスへリコイド筒と一体のギア１９が回転を始める。この回転により、ヘリコイド軸１８が光軸方向に駆動されて、三群ホルダー４の光軸方向移動すなわち三群レンズのズーミングが行われる。
　本実施例においては、ピント補正すなわちＡＦ（オートフォーカス）が該第三群レンズにより行われるリアフォーカスタイプの撮影レンズが構成されているため第三群レンズは前述ズーミング動作のほかにピント補正のレンズ位置制御も行う。なお、駆動原理は前述の場合と同様であるのでその説明は省略する。
　３５は直進ガイド６の後端に固定されたギア坦持板であり、該ギア坦持板３５にはギア７を回転自在に軸支する固定軸３５ａとギア８を回転自在に軸支する固定軸３５ｂとが突設されるとともに後述のヘリコイド軸３６ａに螺合するねじ孔すなわちメスヘリコイド孔３５ｃとヘリコイド軸３７ａに螺合するメスヘリコイド孔３５ｄが光軸と平行に貫設されている。なお、このメスヘリコイド孔３５ｃ及び３５ｄの位置は鏡筒１の外径よりも小さい径の円周上にあり、該メスヘリコド孔３５ｃ及び３５ｄに螺合するヘリコド軸３６ａ及び３７ａが他の部材とぶつからぬように該孔３５ｃ及び３５ｄ及び３５ｄの位置が決められている。３５ｅはシャッター地板３に衝突するストッパーピンである。
　３８は固定鏡筒であり、該固定鏡筒３８はカメラ本体３９に固定されている。直進ガイド６は固定鏡筒３８内に挿入されて光軸と平行に前後方向に移動可能であり、直進ガイド６内には第３図に示されるように一群カムリング５、一群鏡筒１、二群カムリング２、がこの順に外側から内側へ嵌装され、二群カムリング２の内側にはシャッター地板３を含むシャッターユニット３１が配置され、該シャッターユニット３１よりも更に後方には三群ホルダー４が配置されるとともに直進ガイド６の後端に取付けられたギア坦持板３５が配置されている。
　直進ガイド６，一群カムリング５，一群鏡筒１、二群カムリング２、シャッターユニット３１、三群ホルダー４、ギア坦持板３５は固定鏡筒３８内を光軸方向に沿って移動可能となっており、これらの主要七部材で構成されるユニットを本明細書では撮影レンズ鏡筒ユニットと呼ぶことにする。
　直進ガイド６の外周面には軸方向突条６ｆが突設されており、該突条６ｆは固定鏡筒３８の内周面に刻設されている軸方向溝（図示せず）に相対摺動可能に嵌合しているので直進ガイド６は回転することなく固定鏡筒３８内を軸方向に沿って動くことができる。
　直進ガイド６の後端には大径部６ｇが形成されており、該大径部６ｇの外周面には後述のバヨネットリング４３の回転により撮影レンズ鏡筒ユニットの光軸方向位置を定めるための突起６ｃ及び６ｄ並びに６ｅ（第６図参照）が突設されており、この突起６ｃ及び６ｄ並びに６ｅは後述のバヨネットリング４３に係合するようになっている。
　カメラ本体３９の内部には、ギア坦持板３５及び直進ガイド６を光軸と平行に前進及び後退させるための動力伝達機構と、ギア８を回転させるための駆動力を伝達するための動力伝達機構及びバヨネットリング４３を回転させるための動力伝達機構と、が収容されている。これらの動力伝達機構は、第１図に示すリングギア４０、リングギア４０の内歯に噛み合う２個のギア３６及び３７、該ギア３６及び３７のそれぞれと一体に形成されたヘリコド軸３６ａ及び３７ａ、外周面の一部にギア部４３ｄが形成されたバヨネットリング４３、等で構成されている。
　以下には第１図乃至第９図を参照して上記動力伝達機構の構造について説明する。
　第１図に示されるように、カメラ本体３９には前記の撮影レンズ鏡筒ユニットを収容しうる孔３９ｃが設けられ、該孔３９ｃの最奥部の端面には、第３図に示すように、ギア３６の端面の凹部に嵌合するギア支持軸３９ａと、ギア３７の端面の凹部に嵌合するギア支持軸３９ｂと、が突設されており、該軸３９ａによってギア３６が定位置で回転可能に支持されるとともに軸３９ｂによってギア３７が定位置で回転可能に支持されている。
　ギア３６及びギア３７はそれぞれヘリコイド軸３６ａ及びヘリコド軸３７ａと一体に成形されたねじ軸付きギアであり、ヘリコド軸３６ａはギア坦持板３５のメスヘリコド孔３５ｃ（ねじ孔）に螺合し、ヘリコド軸３７ａはギア坦持板３５のメスヘリコド孔３５ｄ（ねじ孔）に螺合している。
　ギア３６及び３７に噛み合うリングギア４０は外周面に外歯４０ａが形成されるとともに内周面に内歯４０ｂが形成されているギアであり、該ギア４０の内歯４０ｂにギア３６とギア３７とが噛み合っている。
　リングギア４０は第３図に示されるようにカメラ本体３９の撮影レンズ鏡筒ユニット収容孔３９ｃの最奥部の位置において回転可能に配置されるとともにそれ自身の内歯４０ｂにギア３６及び３７が噛み合っており、また、リングギア４０の外歯４０ａにはギア４８が噛み合っている。該ギア４８はカメラ本体３９の上面にあけられた窓から外部へ突出しており、該ギア４８には不図示の駆動源で回転される不図示のギアが噛み合っている。
　リングギア４０及びギア３６並びに３７を軸方向に移動させないように、ヘリコド軸３６ａに遊嵌する孔４１ａを有したギア押さえ板４１と、ヘリコド軸３７ａに遊嵌する孔４２ａを有したギア押さえ板４２と、がそれぞれヘリコド軸３６ａ及び３７ａに嵌装され、該押さえ板４１及び４２をギア３６及び３７並びにリングギア４０の端面に面して配置するとともに該押さえ板４１及び４２をカメラ本体３９にビス等で締結している。
　カメラ本体３９の前記孔３９ｃの開口縁には座ぐり部３９ｄ形成されており、該座ぐり部３９ｄには前記のバヨネットリング４３が回転可能に配置される。バヨネットリング４３の外周面の一部にはギア部４３ｄが形成されており、該ギア部４３ｄには該バヨネットリング４３を回動させるためのギア４７か噛み合っている。バヨネットリング４３には３ヶ所の段部４３ａ，４３ｂ，４３ｃが形成され、各段部にはバヨネットリング４３を軸線方向に移動させぬようにバネ性の接片を有したバヨネットリング押さえ板４４〜４６が係合しており、該押さえ板４４〜４６はカメラ本体３９の端面にビス等で締結されている。これらのバヨネットリング押さえ板４４〜４６の設置位置は直進ガイド６の３個の突起６ｃ，６ｄ，６ｅに対応している。
　次に前記の如き構成において、撮影レンズ鏡筒ユニットが沈胴位置（第３図の下半分に示されている状態）から前方へ繰り出される場合の各部の動作を説明する。
　不図示の駆動源によりギア４８が回転されるとリングギア４０が回転され、該ギア４０に噛み合っているギア３６及び３７がそれぞれ同一方向及び同一回転角だけ回転される。このため、ギア３６及び３７と一体のヘリコド軸３６ａ及び３７と一体の３ヘリコド軸３６ａ及び３７ａに螺合しているギア坦持板３５は光軸と平行に前方へ動かされる。従って、ギア坦持板３５と一体の直進ガイド６が固定鏡筒３８内を前進し、直進ガイド６に収容された一群カムリング５、一群鏡筒１、二群カムリング２、シャッターユニット３１、及び三群ホルダー４が直進ガイド６と一体となって前進する。この時、直進ガイド６の外周面に突設された突条６ｆが固定鏡筒３８の内周面の軸方向溝に嵌った状態で直進ガイド６が前進するため、直進ガイド６が回転することはない。また、この前進過程において二群カムリング２内に設けられたガイドバー１２上のバネ１４の作用によって一群鏡筒１と二群カムリング２及びシャッター地板３との間隔が広がるため、第一群レンズと第二群レンズとの間隔も徐々に広がっていく。そして、シャッター地板３の後面にギア坦持板３５の突出ピン３５ｅが突き当たった後は、三群ホルダー４が押さえ板４１から離れ第一群レンズと第二群レンズとの間隔は一定のままで該鏡筒ユニットが固定鏡筒３８から繰り出されてゆく。
　該鏡筒ユニットの繰り出しが終りに近づくと該鏡筒ユニットはバヨネットリング４３をくぐり抜けた位置に達し、直進ガイド６の後端の大径部６ｇが固定鏡筒３８の孔３８ａに嵌り込み、直進ガイド６は固定鏡筒３８内で大径部６ｇで支持される。この時の状態を示したのが第６図である。
　該鏡筒ユニット繰り出しのための動力供給が遮断されると（すなわち、ギア４８の回転が停止すると）、該ユニットは停止する。この時、バヨネットリング押さえ板４４，４５，４６は直進ガイド６の３個の突起６ｃ，６ｄ，６ｅをそれぞれ光軸後方へ戻そうとする力を発生するはずであるが、突起６ｃ，６ｄ，６ｅに対応するバヨネットリング４３の部分には、第１図に見られるような段部４３ａ，４３ｂ，４３ｃがあるため、該バヨネットリング押さえ板は該段部で係止を受け、鏡筒ユニットはその後端部がバヨネットリング４３をくぐりぬけた位置、つまり第６図に示したバヨネットリング４３の前端部よりもさらに前方にユニット後端部が位置した状態で停止する。
　この状態において、図示しない駆動源からの動力がギア４７に伝達され、該ギア４７は時計方向への回転を始める。
　従ってバヨネットリング４３は反時計方向への回転を始める。該バヨネットリングが回転すると、バヨネットリング押さえ板４４，４５，４６のバネ力に係止を行っていた段部４３ａ，４３ｂ，４３ｃも回転するため、その係止は解除され、バヨネットリング押さえ板４４，４５，４６は直進ガイド６の突起６ｃ，６ｄ，６ｅを光軸後方へ押圧する力を発生し始める。しかしこの時すでにバヨネットリング４３はある角度回転しているので、直進ガイド６の突起６ｃ，６ｄ，６ｅはバヨネットリングの部分４３ｅ，４３ｆ，４３ｇに前記押圧力により圧接される。
　さらにバヨネットリング４３の回転が続くと、今度は、バヨネットリングに設けられた切り起こしのカム４３ｈ，４３ｉ，４３ｊにより直進ガイド６の突起６ｃ，６ｄ，ｄｅはその後端面をカムに押され、前記押圧力に打ち勝ってさらに光軸前方へのユニットの繰り出しがなされる。
　その後前記突起６ｃ，６ｄ，６ｅが、バヨネットリング４３の前記カム面４３ｈ，４３ｉ，４３ｊの延長上に設けられた前記前端面と平行な平面部４３ｋ，４３ｌ，４３ｍに乗り上げた状態になると駆動源からの動力が遮断される。
　ここまでの動きが完了した状態の要部正面図を示したのが第７図である。この状態までで、鏡筒ユニットは沈胴位置からの繰り出しを完了して撮影待機位置にしっかりと係止される。この時の鏡筒内の状態が第３図の上半分に示されている。
　第８図及び第９図はカムリング５の回転駆動を行うギア８と、図示されない駆動源からの動力を受けて回転するギア４８が、前述した沈胴からの繰り出し動作により連結される状態を説明するための要部断面図である。第８図は沈胴位置から繰り出されてくる途中の状態であり、まだこの状態ではギア８とギア４８との連結はなされない。その後さらに鏡筒ユニットの繰り出しが行われて第９図に示すようにギア８とギア４８の連結が行われる状態になったとき、ギア８の歯とギア４８の歯が干渉しない状態で鏡筒ユニットが繰り出されてくると（つまり、ギア８とギア４８がうまく噛み合う状態）ギア４８は実線で示す位置にコイルバネ４９の付勢力を受けて待機し、ギア８との連結が行われる。
　しかし、ギア８の歯とギア４８の歯が鏡筒ユニットの繰り出しにより干渉してしまう（つまりギア８とギア４８の歯と歯がぶつかってしまう）場合、ギア４８はカメラ本体３９に突設された軸３９ｅに回動自在に保持されたままコイルバネ４９の付勢力に逆らって第１０図中一点鎖線に示す位置まで退避する。ギア４８が退避した状態においても図示しない駆動源からの駆動力が伝達されるようにしておくことにより（例えばギア４８が退避した位置でも図示しない駆動側のギアが噛み合うことができるように歯厚を厚くしておく）該駆動源からの動力を受けてギア４８が、ギア８と噛み合うことが可能な位置まで回転すると、ギア４８は図中実線で示す位置にバネ４９の力でスライドし、ギア８との連結が行われる。
　沈胴位置からの繰り出しが完了した状態では、第一群，第二群，第三群レンズは撮影位置にはなく、この後、カメラは前述の駆動手段によりカムリング５をある角度だけ回転させる。そうすると第一群レンズは第４図中、光軸より下側に示したＷＩＤＥ撮影位置まで繰り出される。従って、第一群レンズと第二群レンズは圧縮バネ１４の作用によりさらにその間隔を増し、第二群レンズはシャッター地板３の植設ピン３ｃか二群カムリング２のカム面２ｂに当接し、第一群レンズと同様、ＷＩＤＥ撮影位置に保持される。この時の撮影レンズ部の要部断面を示したのが第４図の光軸下側である。また、第４図において光軸上軸上側は、鏡筒ユニットの沈胴位置からの繰り出しが完了した状態であり、これは第３図中、光軸上側に示された状態と同じである。
　以上の状態までカムリング５を回転させたのち、前述のごとく第三群レンズをステッピングモーターユニット１９０により適当な位置まで駆動し、該撮影レンズ系はＷＩＤＥ撮影の準備を完了する。この時の撮影レンズ部の要部断面を示したのが第５図の光軸より上側である。また、第５図の光軸より下側は、スーミングによりＴＥＬＥ位置に撮影レンズ系が配置された時の状態を示しているが、ズーミング動作については先に詳述しているので省略する。
　また、鏡筒ユニットか繰り出された状態から沈胴を行う際には、以上述べてきた沈胴からの繰り出しにおける各部の動きが逆になされるだけであるのでその詳細は省略する。
　［発明の効果］
　以上に説明したように、本発明によれば、小型化の図れる光学ユニット駆動装置が提供できるものである。
【図面の簡単な説明】
　第１図は本発明の実施例に係るズーム機構を有するカメラの鏡筒部分の分解斜視図、第２図は該レンズ鏡筒内に播載されているステッピングモーターの正面図、第３図乃至第５図は該鏡筒部分の種々の状態における断面図、第６図及び第７図は該レンズ鏡筒における沈胴と繰り出しとを説明するための図、第８図及び第９図は該レンズ鏡筒内の動力伝達機構の説明図、第１０図は従来のズームカメラの沈胴機構の説明図、である。
１…一群鏡筒　　　　　　　　　　　　　　２…二群カムリング
３…シャッター地板　　　　　　　　　　　４…三群ホルダー
５…一群カムリング　　　　　　　　　　　６…直進ガイド
７…ギア　　　　　　　　　　　　　　　　８…ギア
９〜１１…植設ピン
１２，１３…ガイドバー
１５，１６…ガイドバー
１８…ヘリコド軸　　　　　　　　　　　　３５…ギア坦持板
３５ａ，３５ｂ…固定軸
３５ｃ，３５ｄ…ヘリコド孔
３６ａ，３７ａ…ヘリコド軸
３６，３７…ギア　　　　　　　　　　　　３８…固定鏡筒
３９…カメラ本体　　　　　　　　　　　　４０…リングギア
４３…バヨネットリング